(57)【特許請求の範囲】
【請求項１】
扉の内面に装着されたハウジングと、このハウジングに形成された水平な収納孔に前進後退自在に案内されると共に、見込み方向に遊動可能に支承され、先端にガードアームに連携される係合部を、両側に傾斜溝を、先端に係合穴を夫々形成した係止杆と、この係止杆の後端に作用し、係止杆を前進方向に付勢させると共に、係止杆の係合穴を収納孔の開口に突設された突起と係合する方向に付勢する第１コイルスプリングと、上記ハウジングの中央に水平方向に沿って取り付けられ、ほぼ中央に軸受穴を有するセンターフレームと、このセンターフレームの両側に滑動可能に取り付けられ、先端の係合片が上記係止杆の傾斜溝と係合する一対のスライダと、各スライダの後端に弾装された一対の第２コイルスプリングと、扉の外面に上記軸受穴と同軸に装着されたシリンダ錠と、このシリンダ錠の内筒にテールピースを介して同軸に連結される操作軸、及びこの操作軸から半径方向外側に延伸する一対のアームを備えると共に、内端をセンターフレームの軸受け穴に嵌入させ、かつアームを上記スライダの後端部に形成された段部に前方から係合させた操作駒とを有し、外出時シリンダ錠の内筒を時計方向或いは反時計方向に回動することにより、操作駒の一対のアームの一方がスライダの一方を第２コイルスプリングの弾力に抗して後退させ、スライダの前端と係止杆の傾斜溝との間に作用する楔作用により係止杆の前端を上方に移動させ、係止杆の係合穴と収納孔の開口に突設された突起との係合を解いて係止杆を第１スプリングの弾力によりガードアーム方向に突出させるようにしたことを特徴とする面付ガードアーム錠。
【発明の詳細な説明】
【０００１】
【発明の属する技術分野】
この発明は、面付ガードアーム錠に係り、特にシリンダ錠および合鍵を介して室外側から室内側のガードアーム装置の作動及び解除をすることができる面付ガードアーム錠に関する。
【０００２】
【従来の技術】
ガードアーム装置は、例えば実公平３−３９５８５号公報に記載されているように、２段階に突出できる錠杆を、ガードアーム装置作動時１段階突出させ、その先端を、上端を固定軸に見込み方向に回動可能に枢支されたガードアームの下端の係合孔に係合させ、扉の開角度を一定以下に規制し、安全に来訪者の確認および郵便物等の受け渡しをするものである。
【０００３】
【発明が解決しようとする課題】
上記した従来のガードアーム装置は、簡単な構造で、開錠状態における扉の開角度を一定以下に確実に保ち、もって来訪者の確認や郵便物の受け渡しができるが、その機能は居住者が屋内にいるときにのみ発揮され、外出時には何の役にも立たない。
【０００４】
そこで、この発明はシリンダ錠および合鍵を介して室外側から室内のガードアーム装置の作動及び解除を可能にできるようにした新規な錠付の面付ガードアーム錠を提供し、もって扉口の防犯上の安全性を向上させることを目的としている。
【０００５】
【課題を解決するための手段】
上記課題を解決するために、請求項１に記載のこの発明は、扉の内面に装着されたハウジングと、このハウジングに形成された水平な収納孔に前進後退自在に案内されると共に、見込み方向に遊動可能に支承され、先端にガードアームに連携される係合部を、両側に傾斜溝を、先端に係合穴を夫々形成した係止杆と、この係止杆の後端に作用し、係止杆を前進方向に付勢させると共に、係止杆の係合穴を収納孔の開口に突設された突起と係合する方向に付勢する第１コイルスプリングと、上記ハウジングの中央に水平方向に沿って取り付けられ、ほぼ中央に軸受穴を有するセンターフレームと、このセンターフレームの両側に滑動可能に取り付けられ、先端の係合片が上記係止杆の傾斜溝と係合する一対のスライダと、各スライダの後端に弾装された一対の第２コイルスプリングと、扉の外面に上記軸受穴と同軸に装着されたシリンダ錠と、このシリンダ錠の内筒にテールピースを介して同軸に連結される操作軸、及びこの操作軸から半径方向外側に延伸する一対のアームを備えると共に、内端をセンターフレームの軸受け穴に嵌入させ、かつアームを上記スライダの後端部に形成された段部に前方から係合させた操作駒とを有し、外出時シリンダ錠の内筒を時計方向或いは反時計方向に回動することにより、操作駒の一対のアームの一方がスライダの一方を第２コイルスプリングの弾力に抗して後退させ、スライダの前端と係止杆の傾斜溝との間に作用する楔作用により係止杆の前端を上方に移動させ、係止杆の係合穴と収納孔の開口に突設された突起との係合を解いて係止杆を第１スプリングの弾力によりガードアーム方向に突出させるようにしたことを特徴とする。
【０００６】
【実施例】
以下本発明の実施例を添付の図１乃至図１３を参照して説明する。
図１において符号１０はガードアーム機構を示し、このガードアーム機構１０は、扉枠に対して固定される固定基板１１を有し、この固定基板１１には、枢軸１２を介して、ガードアーム１３が見込み方向に回動可能に枢支されている。
【０００７】
このガードアーム１３は、枢軸１２に対して嵌着される第１アーム１３ａと，この第１アーム１３ａに対して軸方向へ移動可能に遊嵌され、係合孔１４を有する第２アーム１３ｂとから構成されている。
【０００８】
この実施例の場合、ガードアーム１３を軸方向に伸縮可能に構成したが、この発明は、この型式のガードアームに限定されものではなく、従来存在する種々の型式のガードアームに適用可能である。
【０００９】
上記した構成のガードアーム機構１０は、次に述べる面付ガードアーム錠１５と組み合わされて新規なガードアーム装置を構成する。
【００１０】
面付ガードアーム錠１５は、扉Ｄの内面にビスを使って面付けされるハウジング１８と、扉の外面に装着されるシリンダ錠１を具備し、後述するように、ガードアーム装置作動時、係止杆１６の先端の錨状の係合部１７が上記ガードアーム１３の係合孔１４と係合する。
【００１１】
係止杆１６は、図６及び図７に示すように、ハウジング１８に形成された水平な収納孔１９内に収容され、前後方向（図で左右方向）に移動可能に案内されている。
【００１２】
また、係止杆１６の寸法に対し、収納孔１９の見込み方向の寸法が少し大目に設定され、その為、係止杆１６は収納孔１９内において見込み方向（図６、７で上下方向）に遊動できる。
【００１３】
上記係止杆１６の後端（図６、７で左端）には第１コイルスプリング２０が弾装されており、この第１コイルスプリング２０の弾力によって、係止杆１６は、前進する方向、すなわちガードアーム１３と係合する方向に付勢されている。
【００１４】
また、第１コイルスプリング２０の前後の端部の取り付け位置（夫々係止杆１６の後端及び収納孔１９の内面）が見込み方向において少し食い違っており、その為、図７に示すように、係止杆１６の前端が扉に近接する方向に付勢される。
【００１５】
次に面付ガードアーム錠の裏カバ−を外して内部の構造を詳細に説明する。
上記係止杆１６の先端部の下面には、図５に示すように、窪み状の係合穴２１が形成されると共に、係止杆１６の下面の両側には、所定の長さの第１及び第２係合溝２２、２３が形成されている。
【００１６】
このうち第１係合溝２２は先端に向かって下がり勾配の傾斜溝２２ａであり、係合溝２３は、切欠き２３ａと傾斜溝２３ｂとを組み合わせたものである。
【００１７】
そして、ハウジング１８の収容孔１９の外端縁には係止杆１６の収納時、すなわち解錠時に上記係合穴２１と係合する突起２４（図６参照）が形成されている。
【００１８】
なお、図７に示すように、係止杆１６の後端部（左端部）には段部３３が形成されており、図６に示すように係止杆１６がハウジング１８から突出した状態においては、この段部３３が後述するスライダの係合片３０ｄと係合する。
【００１９】
一方、ハウジング１８の裏蓋２５を外すと、図５に示すように、ハウジング１８の長手方向の中心線に沿ってセンタフレ−ム２６が配置され、このセンタフレ−ム２６は、図１３に示すように、チャンネル状の部材に形成され、両端のそれぞれには、外側に向けて受片２７が形成されている。
【００２０】
センターフレーム２６の中央部には、後述する操作駒２８の軸端を入れる軸受孔２９が形成されている。
【００２１】
また、上記センタフレ−ム２６の両側には、図５に示すように、前後方向に滑動する第１及び第２スライダ３０、３１が装備され、各スライダは第２コイルスプリング３２によって、前進する方向（図５で右方）へばね付勢されている。
【００２２】
各スライダ３０および３１は、センタフレ−ム２６の長手中心に対して対象に配置されている。
【００２３】
図１１は、そのうちの一つを斜視図で示したものでり、後端より係合片３０ａとばね座３０ｂが突設され、また、内側端より前方に向かってアーム３０ｃが伸び、その先端に係合片３０ｄが設けられている。
【００２４】
この係合片３０ｄは、施錠時に、係止杆１６が最大限に突き出たときに、係合片３０ｄが係止杆１６の係合溝２３の端に当接し（図６参照）、係止杆１６の施錠状態を維持する。なお、符号３４（図８参照）はストッパを示している（図１３参照）。
【００２５】
図１２は、操作駒２８を示しており、上記センターフレーム２６の軸受孔２９に嵌合するジャ−ナル２８ａと、半径方向外側に向かって一直線にのびるアーム２８ｂ、２８ｃとシリンダ錠の内筒によって回動操作される操作軸２８ｄとからなっている。
【００２６】
一方、ハウジング１８の表側には、中央長手方向に沿って、山形部３５が構成れ、図９から明らかなように、この山形部３５を跨ぐようにして手動操作子３６が所定の範囲を滑動可能に装着されている。
【００２７】
この手動操作子３６は、室内にいる人間が指で摘んで左右に動かすことにより、係止杆１６を前後に動かせるようにしたものである。
【００２８】
そのために、手動操作子３６と係止杆１６とは、ピン３７で結合されると共に、上記ハウジング１８の側面には、係止杆１６の動ける範囲の案内溝３８が形成されている。
【００２９】
手動操作子３６の動きを円滑にするために手動操作子３６の下辺の近くには、案内溝３９、３９が形成されている。
【００３０】
この案内溝３９、３９の動く、ストロ−ク範囲を規制するために、ピン４０、４１がハウジング側に取り付けられている。
【００３１】
他方、図３及び図４に示すように、扉Ｄの外面のハウジング１８と整合する部分には、鍵孔中心を軸受穴２９（図５参照）と同軸にして、シリンダ錠１が装着されている。
【００３２】
このシリンダ錠の内筒は、図示しないテールピースを介して、操作駒２８に連結されている。
【００３３】
次に上述した構成の面付ガードアーム錠の使用の態様を説明する。
面付ガードアーム錠１５を室内側から施錠する時には、手動操作子３６を掴んでストッパ４１に当たるまで前進させる。
【００３４】
すると、係止杆１６の先端の係合部１７がガードアーム１３の係合孔１４と係合する。この状態で扉を開けると、係止杆１６の先端の係合部１７がガードアーム１３を伸長させつつ室外側に振出させる。
【００３５】
その結果、扉の開角度が制限され、安全に来訪者の確認や郵便物などの受け渡しを行うことができる。
【００３６】
次に、外出するときには、ガードアーム１３を自重によるモーメントにより垂直な角度位置に置き、扉を開いて外に出た後扉を閉めて施錠する。次いで、例えば同じ合鍵をシリンダ錠１の鍵孔に差し込んで、内筒を時計方向或いは反時計方向に回す。
【００３７】
すると、操作駒２８も内筒と一体的に回動し、操作駒２８のアーム２８ｂの一つが、第２コイルスプリング３２の弾力に抗して、例えば第１スライダ３０を後退させる。
【００３８】
すると、図７で第１スライダ３０が左方に移動し、係止杆１６の傾斜溝２３ｂと係合する結果、両者の間に作用する楔作用により係止杆１６の前端が上方に移動し、係合穴２１と突起２４との係合が解ける。
【００３９】
その結果、第１コイルスプリング２０の弾力により係止杆１６が前方に突出し、その先端の係合部１７がガードアーム１３の係合孔１４と係合して施錠状態を完了させる。因みに、通常取り付けられている主シリンダ−錠をロックすることは言うまでもない。
【００４０】
このような状態にしておけば、悪意の第３者がピッキングにより主シリンダ錠を解錠した扉を開けようとしてもこの発明の面付ガードアーム錠１５が働くので扉は開角度が一定以下に制限されるので室内に侵入することができない。
【００４１】
一方、正規の合鍵を所有する居住者が帰宅後、主シリンダ錠と面付ガードアーム錠１５のシリンダ錠１を開錠すれば、操作駒２８のアームが第１及び第２コイルスプリング２０、３２の弾力に抗して、かつスライダの係合片３０ｄと段部３３（図６参照）との係合を介して、係止杆１６を引き込むように働き（図７参照）、係合部１７とガードアームとの係合を解いて扉を開けることができる。
【００４２】
【発明の効果】
以上の説明から明らかなように、この発明によれば、扉の外側からのキ−操作で施錠または解錠できる面付ガードアーム錠を扉の内側に設けたから、万一主シリンダ装置が開錠されたとしても面付ガードアーム錠が働いて、扉の開きを制限して悪意の第三者が室内に侵入することを防止できる。
【００４３】
また、ハウジング及びシリンダ錠を面付としたから、既設の扉にも適用できる、等種々の効果を奏する。
【図面の簡単な説明】
【図１】ガードアーム機構の一例を示した正面図。
【図２】施錠状態にあるガードアームと面付ガードアーム錠を示した正面図。
【図３】施錠状態にあるガードアームと面付ガードアーム錠を示した平面図。
【図４】施錠状態にある面付ガードアーム錠を示した側面図。
【図５】施錠状態にある面付ガードアーム錠の背面図。
【図６】施錠状態にある面付ガードアーム錠の一部断面図。
【図７】解錠状態にある面付ガードアーム錠の半断面図。
【図８】操作駒を組み入れた面付ガードアーム錠の背面図。
【図９】面付ガードアーム錠の側面図。
【図１０】裏蓋を閉じた状態を示す面付ガードアーム錠の背面図。
【図１１】スライダの一つを示した斜視図。
【図１２】操作駒を示した斜視図。
【図１３】スライダを示した斜視図。
【符号の説明】
１０  ガードアーム機構
１３  ガードアーム
１４  係合孔
１５  面付ガードアーム錠
１６  係止杆
１７  係合部
１８  ハウジング
１９  収納孔
２０  第１コイルスプリング
２１  係合穴
２２  第１係合溝
２３  第２係合溝
２４  突起
２６  センターフレーム
２８  操作駒
２９  軸受穴
３０  第１スライダ
３１  第２スライダ
３２  第２コイルスプリング
３３  段部
３６  手動操作子
【図１】
0004346803.tif 000002
【図２】
0004346803.tif 000003
【図３】
0004346803.tif 000004
【図４】
0004346803.tif 000005
【図５】
0004346803.tif 000006
【図６】
0004346803.tif 000007
【図７】
0004346803.tif 000008
【図８】
0004346803.tif 000009
【図９】
0004346803.tif 000010
【図１０】
0004346803.tif 000011
【図１１】
0004346803.tif 000012
【図１２】
0004346803.tif 000013
【図１３】
0004346803.tif 000014